(57)【要約】  医用機器は、脈管系との流体の連通のための脈管外システム、脈管外システム内の流体路、および流体路に連通する流体流ディレクタを含むことができる。ディレクタは、脈管外システムの流体路内の停滞流体の運動を促進する。方法は、流体路を有する脈管外システムを用意すること、および脈管外システムの流体路内の停滞流体の運動を促進することを含むことができる。
2010505551.tif 000002
【特許請求の範囲】
【請求項１】
脈管系との流体の連通のための脈管外システムと、
前記脈管外システム内の流体路と、
前記流体路に通じ、前記脈管外システムの前記流体路内の停滞流体の運動を促進する流体流ディレクタと
を備えることを特徴とする医療機器。
【請求項２】
前記流体流ディレクタは、アーチを含むことを特徴とする請求項１に記載の医療機器。
【請求項３】
前記流体流ディレクタは、頂部にリップを有する回転可能アーチを含むことを特徴とする請求項１に記載の医療機器。
【請求項４】
前記流体流ディレクタは、アーチおよび流路を含むことを特徴とする請求項１に記載の医療機器。
【請求項５】
前記流体流ディレクタは、径方向流体路を画成するアーチを含むことを特徴とする請求項１に記載の医療機器。
【請求項６】
前記流体流ディレクタは、アームを含むことを特徴とする請求項１に記載の医療機器。
【請求項７】
前記流体流ディレクタは、オフセット入口を含むことを特徴とする請求項１に記載の医療機器。
【請求項８】
前記流体流ディレクタは、弁を含むことを特徴とする請求項１に記載の医療機器。
【請求項９】
前記流体流ディレクタは、前記流体路に平行に向けられるダックビルを有する隔壁を含むことを特徴とする請求項１に記載の医療機器。
【請求項１０】
前記流体流ディレクタは、ベンチュリ管を含むことを特徴とする請求項１に記載の医療機器。
【請求項１１】
前記流体流ディレクタは、オフセット出口穴を有する先の尖った床部を含むことを特徴とする請求項１に記載の医療機器。
【請求項１２】
前記流体流ディレクタは、傾斜面およびオフセット出口穴を有するらせん状床部を含むことを特徴とする請求項１に記載の医療機器。
【請求項１３】
前記流体流ディレクタは、オフセット出口穴、および前記オフセット出口穴の一部を囲繞する壁部を含むことを特徴とする請求項１に記載の医療機器。
【請求項１４】
前記流体流ディレクタは、タービンを含むことを特徴とする請求項１に記載の医療機器。
【請求項１５】
前記流体流ディレクタは、入口隆起部およびゴブレット形挿入部を含むことを特徴とする請求項１に記載の医療機器。
【請求項１６】
前記流体流ディレクタは、出口隆起部を含むことを特徴とする請求項１に記載の医療機器。
【請求項１７】
前記流体流ディレクタは、縁部に出口を有するカップ状障壁を含むことを特徴とする請求項１に記載の医療機器。
【請求項１８】
前記流体流ディレクタは、偏向可能な膜およびルーア先端部受けを含むことを特徴とする請求項１に記載の医療機器。
【請求項１９】
前記流体流ディレクタは、親水性材料を含むことを特徴とする請求項１に記載の医療機器。
【請求項２０】
前記流体流ディレクタは、可溶性材料を含むことを特徴とする請求項１に記載の医療機器。
【請求項２１】
流体路を有する脈管外システムを用意すること、
流体流ディレクタによって前記脈管外システムの前記流路内の停滞流体の運動を促進すること
を含むことを特徴とする方法。
【請求項２２】
患者の脈管系にアクセスするための手段と、
前記患者の脈管系にアクセスするための手段内に少なくとも部分的に存在する、停滞流体の運動を促進するためのディレクタ手段と
を備えることを特徴とする医療機器。
【発明の詳細な説明】
【技術分野】
【０００１】
本開示は、患者に注入または他の治療を施すのに使用される脈管外システム内の流体流れの方向に関する。注入療法は、最も一般的な健康管理処置の１つである。入院および在宅看護の患者は、脈管系に挿入される脈管アクセス装置を介して、流体、薬剤または血液製剤を受ける。注入療法は、感染症の治療、麻酔もしくは無痛の提供、栄養補給の提供、癌性増殖の治療、血圧および心臓の鼓動の維持、または多くの他の臨床的に重要な用途に使用することができる。
【背景技術】
【０００２】
注入療法は、患者の脈管系の外部に配置される脈管アクセス装置によって容易になる。脈管外システムは、少なくとも１つの脈管アクセス装置、および／または患者の末梢脈管系もしくは中心脈管系に直接的もしくは間接的にアクセスすることができる他の医療機器を含むものである。脈管アクセス装置は、本件特許出願人のＢＤ  Ｑ−ＳＹＴＥ（商標）閉鎖ルーアアクセス装置（ｃｌｏｓｅｄ  Ｌｕｅｒ  ａｃｃｅｓｓ  ｄｅｖｉｃｅ）などの閉鎖アクセス装置、注射器、分割アクセス装置、カテーテル、および静脈内（ＩＶ）流体室を含むものである。脈管外システムは、患者の脈管系に、短期（数日）、中期（数週間）、または長期（数ヶ月から数年）間アクセスすることができ、継続的な注入治療または断続的な治療に使用することができる。
【０００３】
注入療法に関連する合併症は、かなりの疾病率、さらには死亡率を伴う。そうした合併症は、脈管アクセス装置、またはその近くの脈管外システムのエリア内の、流体流れが停滞する領域によって引き起こされることがある。これらは、脈管外システムの構造または脈管外システムのこのエリア内の流体力学に起因して流体の流れが制限されるまたは存在しない領域である。流体流れが制限されるまたは存在しない結果として、気泡または注入薬物が、そうした流れが停滞する領域に閉じ込められることがある。別の薬物が脈管外システムに注入される、または脈管外システムが外傷に曝されるとき、脈管外システムの流体流れが変えられ、それによって閉じ込められていた気泡または残留薬物が放出されて脈管外システムの活動状態の流体路に戻されることがある。気泡および残留薬物が放出されて脈管外システムの活動状態の流体路に入ることによって、重大な合併症を引き起こす恐れがある。
【０００４】
放出された気泡は、脈管外システムを通る流体流れを妨げ、その適切な機能を妨げる恐れがある。より深刻には、放出された気泡が、患者の脈管系に入り血流を妨げ、組織の損傷、さらには発作をも引き起こす恐れがある。さらに、残留薬物は、やがて注入される薬物と相互作用して脈管外システム内に沈殿物を生じさせ、その適切な機能を妨げる恐れがある。さらに、残留薬物が患者の脈管系に入り、意図せぬおよび／または望ましくない作用を引き起こす恐れがある。
【発明の概要】
【発明が解決しようとする課題】
【０００５】
したがって、脈管アクセス装置および脈管外システム内の、流れが停滞する領域を解消、防止または制限するシステムおよび方法が必要とされている。
【課題を解決するための手段】
【０００６】
本発明は、現在使用可能な脈管外システム、装置および方法によってまだ完全に解決されていない従来技術における問題および必要性を受けて開発されてきた。したがって、これらの開発されたシステム、装置および方法は、患者の脈管系に連結することができ、最大限の効果が得られるように流体流れを導くことによって脈管アクセス装置または脈管外システム内の、流れが停滞する領域を解消、防止または制限する、脈管外システムを提供するものである。
【０００７】
医療機器は、脈管系との流体の連通のための脈管外システム、脈管外システム内の流体路、および流体路に通じた流体流ディレクタを含むことができる。ディレクタは、脈管外システムの流体路内の停滞流体の運動を促進することができる。流体流ディレクタには、脈管外システムの流体路内の停滞流体の運動を促進することができる様々な実施形態があり得る。
【０００８】
流体流ディレクタは、アーチ、アーチの頂部にリップを有する回転可能アーチ、アーチおよび流路、径方向流体路を画成するアーチ、アーム、オフセットインプット、弁、流体路に平行に向けられるダックビルを有する隔壁、ベンチュリ管、オフセット出口穴を有する先の尖った床部、傾斜面およびオフセット出口穴を有するらせん状床部、オフセット出口穴およびオフセット出口穴の一部を囲繞する壁部、タービン、入口隆起部およびゴブレット形挿入部、出口隆起部、カップの縁部に出口を有するカップ状障壁、偏向可能な膜およびルーア先端部受け、親水性材料、疎水性材料、ならびに／または可溶性材料を含むことができる。
【０００９】
方法は、流体路を有する脈管外システムを用意すること、脈管外システムの流体路内の停滞流体の運動を促進することを含むことができる。医療機器は、患者の脈管系にアクセスするための手段、および停滞流体の運動を促進するための手段を含むことができる。停滞流体の運動を促進するための手段は、患者の脈管系にアクセスするための手段内に少なくとも部分的に存在することができる。
【００１０】
本発明の上記およびその他の特徴および利点は、本発明のいくつかの実施形態に組み込むことができ、以下の説明および添付の特許請求の範囲からさらに十分に明らかとなる。または、それらは以下に説明される本発明の実施によって習得することができる。本発明には、本明細書に記載の総ての有利な特徴および総ての利点が本発明の各実施形態に組み込まれることは必要としない。
【００１１】
本発明の上記およびその他の特徴および利点が得られるやり方を容易に理解するために、添付の図面に示されるそれらの特定の実施形態を参照することにより、上記で簡潔に述べた本発明のより具体的な説明がなされる。それらの図面は、本発明の単なる典型的な実施形態を示し、したがって本発明の範囲の限定とはみなされない。
【図面の簡単な説明】
【００１２】
【図１】アーチを含む流体流ディレクタの断面図である。
【図２】回転可能アーチを含む流体流ディレクタの断面斜視図である。
【図３】図２の回転可能アーチを含む流体流ディレクタの他の断面斜視図である。
【図４】図２、３の回転可能アーチを含む流体流ディレクタの断面図である。
【図５ａ】アーチおよび流路を含む流体流ディレクタの断面図である。
【図５ｂ】図５の装置の端面断面図である。
【図６】径方向流体路を画成するアーチを含む流体流ディレクタの断面図である。
【図７】アームを含む流体流ディレクタの断面斜視図である。
【図８】オフセットインプットを含む流体流ディレクタの断面図である。
【図９】図８のオフセットインプットを含む流体流ディレクタの断面図である。
【図１０】弁を含む流体流ディレクタの断面図である。
【図１１】図１１の弁が開位置にあるときの流体流ディレクタの断面図である。
【図１２】図１１の線Ａ−Ａに沿った開放弁の断面図である。
【図１３ａ】３０度に向けられるダックビルを有する隔壁を含む流体流ディレクタの垂直断面図である。
【図１３ｂ】３０度に向けられるダックビルを有する隔壁を含む流体流ディレクタの水平断面図である。
【図１４ａ】流体路に平行に向けられるダックビルを有する隔壁を含む流体流ディレクタの側面図である。
【図１４ｂ】流体路に平行に向けられるダックビルを有する隔壁を含む流体流ディレクタの上面図である。
【図１４ｃ】流体路に平行に向けられるダックビルを有する隔壁を含む流体流ディレクタの端面図である。
【図１５】ベンチュリ管を含む流体流ディレクタの断面図である。
【図１６】ベンチュリ管を含む流体流ディレクタの断面図である。
【図１７】オフセット出口穴を有する先の尖った床部を含む流体流ディレクタの断面斜視図である。
【図１８】傾斜面、およびオフセット出口穴を有するらせん状床部を含む流体流ディレクタの部分断面斜視図である。
【図１９】オフセット出口穴およびオフセット出口穴の一部を囲繞する壁部を含む流体流ディレクタの断面斜視図である。
【図２０ａ】タービンを含む流体流ディレクタの断面図である。
【図２０ｂ】図２０ａのタービンの上面図である。
【図２０ｃ】経時圧力変化を表すグラフである。
【図２１】入口隆起部およびゴブレット形挿入部を含む流体流ディレクタの断面図である。
【図２２】出口隆起部を含む流体流ディレクタの断面図である。
【図２３】縁部に出口を有するカップ状障壁を含む流体流ディレクタの断面図である。
【図２４ａ】代替の流体流ディレクタ装置の複数の垂直および水平断面図である。
【図２４ｂ】代替の流体流ディレクタ装置の複数の垂直および水平断面図である。
【図２４ｃ】代替の流体流ディレクタ装置の複数の垂直および水平断面図である。
【発明を実施するための形態】
【００１３】
本発明の現時点で好ましい実施形態は、図面を参照すれば最もよく理解されるものである。同様の参照番号は、同一または機能的に類似した要素を示す。本明細書に大まかに述べられ図に示されるような本発明の構成要素は、多種多様な異なる構造に構成および設計することができることが容易に理解される。したがって、図に示されるような以下のより詳細な説明は、請求の範囲に記載されている本発明の範囲の限定を意図するものでなく、本発明の現時点で好ましい実施形態を単に表しているにすぎない。
【００１４】
図１を参照すると、脈管外システム１０は、脈管アクセス装置１２を含み、物質をシステム１０の流体路１４に沿って患者の脈管系に送るのに使用される。脈管外システム１０は、流体路１４につながっている流体流ディレクタ１６を含む。ディレクタ１６は、システム１０の流体路１４内の停滞流体の運動を促進する。流体流ディレクタ１６は、脈管アクセス装置１２のアクセス口１８の下方に配置されるアーチである。
【００１５】
流体は、流体路１４に沿って方向２０に流れるとき、アーチ形ディレクタ１６と接触し、それによってアクセス口１８の底面２４に向かって方向２２で上方に移動される。アーチ形流体流れのディレクタ１６がない状態では、流体は、アクセス口１８の底面２４を過ぎて方向２０に移動し続け、底面２４付近にあり得るどのような停滞流体をも迂回する。それに反して、アーチ形ディレクタ１６は、流体を底面２４付近の停滞流体に向けて方向２２に押し進め、停滞流体の運動を促進する。
【００１６】
次に図２を参照すると、脈管外システム２１０は、流体路２１４、および流体路２１４に通じている流体流れのディレクタ２１６を含む。ディレクタ２１６は、システム２１０の流体路２１４内の停滞流体の運動を促進する。ディレクタ２１６は、先端にリップ２２８を有する回転可能アーチ２２６を含むものである。リップ２２８によって、流体は、アーチ２２６の外面に沿ってアーチ２２６から離れる方向に移動される。リップ２２８をこのように使用し、流体をシステム２１０の流体路２１４内の停滞流体領域に向けて導くことができる。操作者は、ディレクタ２１６に取り付けられるハンドル２３０を回転させてディレクタ２１６を回転させることができる。操作者は、リップ２２８の舵をとることで、アーチ２２６から離れて存在する停滞流体の運動を促進することができるようになる。次に図３を参照すると、図は、図２の脈管外システム２１０の断面斜視図である。
【００１７】
図４を参照すると、図２、３の脈管外システム２１０が断面図に示される。
【００１８】
次に、図５ａ、５ｂを参照すると、脈管外システム３１０は、流体路３１４、および流体路３１４に通じている流体流れディレクタ３１６を含む。流体流れディレクタ３１６は、システム３１０の流体路３１４内の停滞流体の運動を促進する。流体流れディレクタ３１６は、アーチ３３２、およびアーチ３３２の両側に流路３３４を含む。アーチ３３２は、流体路３１４の直線路を遮り、脈管外システム３１０に固定される脈管アクセス装置３１２のアクセス口３１８に対向して配置される。流路３３４は、アーチ３３２を隔てて向かい合って、かつアクセス口３１８の底面３２４に隣接して配置される。流路３３４によって、流体は、システム３１０の流体路３１４から第１の流路３３４を通って第１の底面３２４に向けて導かれ、アーチ３３２を越えて第２の底面３２４を過ぎ第２の流路３３４を通って直線流体路３１４に入るように導かれる。図５ｂは、システム３１０の一部の端面図であり、流路３３４が流体路３１４内における高路であることを示している。
【００１９】
次に図６を参照すると、脈管外システム４１０は、流体路４１４、および流体路４１４に通じている流体流ディレクタ４１６を含むものである。ディレクタ４１６は、システム４１０における流体路４１４内の停滞流体の運動を促進する。ディレクタ４１６は、弧状の流体路を画成するアーチ４３６を含む。アーチ４３６の高くなった面によって、流体は、高くなっていない直線の流体路４１４から上方に移動され、アーチ４３６を越えてシステム４１０に固定されるアクセス口４１８の底面４２４に向かって移動される。変更された流体路４１４を通る流体の移動の結果、それが無ければ底面４２４付近に存在するであろう停滞流体が移動される。
【００２０】
突出したアーチ４３６は、システム４１０に溶剤接着または音波溶接することができる。底部キャップ４３８は、製造中、アーチ４３６を形成するために成形されやすい材料をもたらすために、アーチ４３６に固定することができる。流体路４１４に連通するアクセス口４１８の任意の部分は、底面４２４付近の停滞流体の運動を促進するために、任意の方向に回転させるまたは配向することができる。
【００２１】
次に図７を参照すると、脈管外システム５１０は、流体路５１４、および流体路５１４に通じる流体流ディレクタ５１６を含むものである。ディレクタ５１６は、システム５１０における流体路５１４内の停滞流体の運動を促進する。流体流ディレクタ５１６は、流体路５１４の２つの部分の間で、システム５１０に固定された脈管アクセス装置５１２のアクセス口５１８に向かう方向に延びるアームを含んでいる。流体流ディレクタ５１６のこのアームによって、システム５１０に固定されたＹ字形延長部５４０から流体路５１４を通って流れる流体が、アクセス口５１８の底面５２４付近に存在し得る停滞流体に向かって流れるようにすることができる。
【００２２】
次に図８を参照すると、脈管外システム６１０は、流体路６１４、および流体路６１４に通じる流体流ディレクタ６１６を含むものである。ディレクタ６１６は、システム６１０における流体路６１４内の、システム６１０に固定されたアクセス口６１８の底面６２４に隣接する領域に停滞する流体の運動を促進する。流体流ディレクタ６１６は、オフセット入口を含むものである。
【００２３】
次に図９を参照すると、図は、図８の断面図である。断面図では、中心線６４２から離れた位置における、流体流ディレクタ６１６のオフセット入口が明らかにされている。Ｙ字形延長部６４０から延びるオフセット入口は、流体を流体路６１４に沿ってシステム６１０の室６４３に流し入れ、これによって、室６４３内で流体の、システム６１０の内面まわりの円運動の移動を行わせる。流体が室６４３内で円運動の移動をするので、流体流ディレクタ６１６がなければ停滞するであろうどんな流体も、流体路６１４の円運動の結果、移動が促進される。
【００２４】
次に図１０を参照すると、脈管外システム７１０は、流体路７１４、および流体路７１４に通じる流体流ディレクタ７１６を含むものである。ディレクタ７１６は、システム７１０における流体路７１４内の停滞流体の運動を促進する。流体流ディレクタ７１６は弁７４４を含んでいる。弁７４４は、それがシステム７１０の本体７４８に取り付けられるところのポイント７４６で枢動可能な円盤形のエラストマー材料から形成することができる。
【００２５】
弁７４４は、Ｙ字形延長部７４０の流体路７１４が閉じられる、すなわちシステム７１０の残りの流体路７１４に対して実質的に閉じられる第１の位置から移動することが可能である。弁７４４は、第１の位置から第２の位置に移動することができる。第２の位置において、弁７４４は、システム７１０の本体７４８の、流体路７１４を横切りポイント７４６に対向する位置に固定されるリブ７５０に接して止まる。
【００２６】
次に図１１を参照すると、第２の位置において弁７４４がリブ７５０に接して止まり、流体路７１４の総ての部分の間で流体連通をもたらしている、図１０の脈管外システム７１０が示されている。第２の位置において、流体流ディレクタ７１６の弁７４４によって、流体は、Ｙ字形延長部７４０からシステム７１０に固定されるアクセス口７１８の底面７２４に向かって移動される。流体は、次いで、弁７４４と本体７４８の間の、リブ７５０の周りを、患者の脈管系に向かう方向７５２に押しやられる。
【００２７】
次に図１２を参照すると、図には、図１１の脈管外システム７１０の線Ａ−Ａに沿った断面が示されている。弁７４４は閉じられ、リブ７５０に接して止まる。弁７４４と本体７４８の間におけるリブ７５０まわりの追加空間によって、流体路７１４がシステム７１０の端から端まで流体を導くことが可能になる。
【００２８】
図１０に戻って参照すると、弁７４４は、システム７１０の流体路７１４内の流体からの背圧７５４の結果のみならず、ポイント７４６でのエラストマー材料の弾力の結果、元の第１の位置に戻されている。第１の位置において、弁７４４は、流体が室７４３内からＹ字形延長部７４０の流体路７１４内に移動しないようにする。
【００２９】
次に図１３ａ、１３ｂを参照すると、脈管外システム８１０は、ルーアアクセス口８１８にある隔壁８５８のダックビル８５６の底面８２４に連通する流体路８１４を含むものである。システム８１０の水平断面図では、ダックビル８５６が流体路８１４の軸から３０度ずれた方向を向いていることが明らかにされている。この特定の向きでは、気泡または残留薬物などの停滞流体が、隔壁８５８の底面８２４付近の停滞流体領域８６０に閉じ込められることになり得る。流体が流体路８１４を通って流れるとき、特定の向きのダックビル８５６が領域８６０からの停滞流体の放出を可能にするとは考えられない。したがって、停滞流体を領域８６０から放出するために隔壁８５８のダックビル８５６を新しい方向に向ける実施形態の方が好ましく、図１４を参照してそれを説明する。
【００３０】
次に図１４ａ〜ｃを参照すると、脈管外システム８１０は、隔壁８５８のダックビル８５６の底面８２４に連通する流体路８１４を含む。ダックビル８５６は、システム８１０の側面図、上面図および端面図に示されるように、流体路８１４を通る流体の流れに平行に向けられる。ダックビル８５６が流体路８１４を通る流体の流れに平行に向けられる場合、図１４に示される領域８６０のような停滞流体の領域が発生することはないと考えられる。というのも、流体路８１４内に突き出るダックビル８５６の面８２４は、流体路８１４を通る流体の自然な流れをせき止める、または別の形で妨げる恐れがある角度にされないからである。
【００３１】
したがって、図１４ａ〜ｃを参照して説明される実施形態は、流体路８１４に連通する流体流ディレクタ８１６について説明するものである。ディレクタ８１６は、脈管外システム８１０における流体路８１４内の停滞流体の運動を促進する。流体流ディレクタ８１６は、流体路８１４に平行に向けられるダックビル８５６を有する隔壁８５８を含んでいる。
【００３２】
次に図１５を参照すると、脈管外システム９１０は、流体路９１４、および流体路９１４に通じる流体流ディレクタ９１６を含むものである。ディレクタ９１６は、脈管外システム９１０における流体路９１４内の停滞流体９６２の運動を促進する。流体流ディレクタ９１６は、ベンチュリ管を含む。
【００３３】
ベンチュリ管は、主流体流路９６４、副流体流路９６６、主流体流路９６４内のアーチ９６８、流体路９１４内の高圧領域９７０、および流体路９１４内の低圧領域９７２を含むものである。流体が流体路９１４を通って方向９７４に流れるとき、流体の大部分は主流体流路９６４を通って移動し、わずかな流体が副流体流路９６６を通って流れる。主流路９６４は、高圧領域９７０と低圧領域９７２が集まるところで副流路９６６に再び合流する。高圧領域９７０は、低圧域９７２からの流体、その結果として副流体流路９６６からの流体を引き込み、それを停滞流体９６２の領域に流し入れて活動状態の流体路９１４に戻す。このやり方で、流体流ディレクタ９１６は、流体路９１４内の停滞流体の運動を促進することができる。図１６を参照して同様の実施形態を説明する。
【００３４】
次に、図１６を参照すると、脈管外システム９１０は、流体路９１４、および流体路９１４に通じる流体流ディレクタ９１６を含むものである。流体流ディレクタ９１６は、脈管外システム９１０の流体路９１４内の停滞流体の運動を促進する。流体流ディレクタ９１６は、主流体流路９７８内に先細直径９７６を有するベンチュリ管を含んでいる。先細直径９７６は、流体路９１４内の、副流体路９８０入口の下流にある。流体は、流体路９１４を方向９８２に移動するとき、先細直径９７６内で進行が妨げられて遅くなり、それによって圧力が流体路９１４内の直径９７６の上流で高められる。圧力が流体路９１４内で高まると、流体は副流体路９８０の入口に押し入れられる。流体は、次いで、比較的速い速度で副流体流路９８０を通って低圧領域９８４内に移動する。
【００３５】
低圧領域９８４は、流体路９１４内において、停滞流体がアクセス口９１８の底面９２４付近に存在する傾向がある領域である。高速で副流体流路９８０を通る流体を受けることによって、低圧領域９８４では、その中に存在するどんな停滞流体も流されることになる。さらに、主流体流路９７８内の高圧領域９８６は、低圧領域９８４から流体を受け、または別の形で引き込んで主流体路９１４に戻す。
【００３６】
次に図１７を参照すると、脈管外システム１０１０は、流体路１０１４、および流体路１０１４に通じる流体流ディレクタ１０１６を含むものである。流体流ディレクタ１０１６は、脈管外システム１０１０における流体路１０１４内の停滞流体の運動を促進する。流体流ディレクタ１０１６は、オフセット流体出口穴１０９０に隣接する先の尖った下向きに傾斜する床部１０８８を含んでいる。
【００３７】
流体が流体路１０１４に沿ってシステム１０１０の中央を通って流体流ディレクタ１０１６に向かって移動するとき、流体の大部分は、先の尖った下向きに傾斜する床部１０８８と接触する。流体は、床部１０８８と接触すると、システム１０１０内の室全体にわたって分かれて広がる。システム１０１０の室内の個々の流れは、流体がオフセット流体出口穴１０９０を通る排出口を見つけることができるまで循環する。システム１０１０内の室の全体積にわたる流れの循環の間、そうでなければ停滞するであろうどんな流体も、移動が促進され、活動状態の流体路１０１４に入り、最終的にオフセット出口穴１０９０を通って流される。図１８を参照して説明される実施形態に代わる様々な実施形態が可能であり、後続の図を参照して説明する。
【００３８】
次に図１８を参照すると、脈管外システム１０１０は、流体路１０１４、および流体路１０１４に通じる流体流ディレクタ１０１６を含む。ディレクタ１０１６は、脈管外システム１０１０における流体路１０１４内の停滞流体の運動を促進する。流体流ディレクタ１０１６は、傾斜面１０９２、およびオフセット出口穴１０９６を有したらせん状床部１０９４を含むものである。
【００３９】
流体がシステム１０１０における流体路１０１４の中央を通って流体流ディレクタ１０１６に向かって移動するとき、流体路１０１４内の流体の大部分は傾斜面１０９２と接触する。次いで、傾斜面１０９２によって、流体は、流体流路１０１４から先細らせん状床部１０９４の上部に向かって導かれる。次いで、先細らせん状床部１０９４によって、流体は、システム１０１０内の室の多くをまわって最終的にらせん状床部１０９４のらせん端部にあるオフセット出口穴１０９６に向かってらせん運動で導かれる。次いで、オフセット出口穴１０９６が流体を流体路１０１４から受け、それをシステム１０１０内にさらに導く。このやり方において、流体流ディレクタ１０１６は、中に含まれる任意の停滞流体の運動を促進するやりかたで、システム１０１０の室部の体積全体で流体を循環させることができる。
【００４０】
次に図１９を参照すると、脈管外システム１０１０は、流体路１０１４、および流体路１０１４に通じる流体流ディレクタ１０１６を含む。流体流ディレクタ１０１６は、システム１０１０における流体路１０１４内の停滞流体の運動を促進する。流体流ディレクタは、オフセット穴１０９８およびオフセット穴１０９８の一部を囲繞する壁部１１００を含むものである。
【００４１】
流体は、流体路１０１４に沿ってシステム１０１０の中央を通って移動して、流体流ディレクタ１０１６を含む室に入る。流体が室を通って流体流ディレクタ１０１６に向かって移動するとき、流体の大部分は室の床部１１０２と接触する。壁部１１００は、オフセット出口穴１０９８から、床部１１０２の流体の大部分を最初に受ける部分を隔てる。したがって、床部１１０２に押し付けられる流体は、システム１０１０の残りの流体路１０１４を移動するために、床部１１０２に沿って壁部１１００をまわりオフセット穴１０９８に入るように移動される。流体が床部１１０２に沿ってオフセット出口穴１０９８に向かう遠回り経路を移動するので、流体流ディレクタ１０１６を含む室内にそうでなければ存在するであろう任意の停滞流体は、移動が促進され、最終的にオフセット出口穴１０９８に入る。
【００４２】
次に図２０ａ〜ｃを参照すると、脈管外システム１２１０は、流体路１２１４、および流体路１２１４に通じる流体流ディレクタ１２１６を含む。流体流ディレクタ１２１６は、システム１２１０の流体路１２１４内の停滞流体の運動を促進する。流体流ディレクタ１２１６は、タービン１２０４を含むものである。タービン１２０４は、システム１２１０の室内の重円錐軸受け１２０６上で止まる半浮きタービンである。
【００４３】
流体が流体路１２１４を通って方向１２０８に移動するとき、流体によってタービン１２０４が流体流ディレクタ１２１６を含む室内で回転される。タービン１２０４が回転するとき、タービンの翼１２１１によって室内で乱流が発生する。乱流によって、そうでなければ停滞するであろう流体が移動され、活動状態の流体路１２１４の流れに入れられる。さらに、タービン１２０４の翼１２１１が停滞しそうな流体１２１２の領域を過ぎて循環するので、各通過翼１２１１が圧力の増大をもたらし、続いて圧力が低下する。したがって、翼１２１１は、通過翼１２１１による繰り返し発生する脈動する圧力プロファイルをもたらす。
【００４４】
次に図２１を参照すると、脈管外システム１３１０は、流体路１３１４、および流体路１３１４に通じる流体流ディレクタ１３１６を含む。ディレクタ１３１６は、脈管外システム１３１０における流体路１３１４内の停滞流体の運動を促進する。流体流ディレクタ１３１６は、入口隆起部１３１４およびゴブレット形挿入部を含むものである。
【００４５】
流体入口隆起部１３１４は、流体路１３１４を介して流体を受け、流体がシステム１３１０の本体をまわって、流体入口穴１３１８を通り、ゴブレット形挿入部１３１６の外面１３２０上の流体路に入り上昇してゴブレット形挿入部１３１６の上部リップ１３２２の上をまわり、ゴブレット形挿入部１３１６の内面１３２４を通過して最終的に流体出口１３２６の残りの流体路１３１４を通るように導く。流体路１３１４内に、流体がそこを通って流れなければならない遠回り経路をもたらすことによって、流体流ディレクタ１３１６は、入口隆起部１３１４から流体出口への停滞流体の移動の促進を確実にする。さらに、ゴブレット形挿入部１３１６が流体をリップ１３２２に導くこと、およびリップ１３２２がアクセス口１３１８の底面１３２４に隣接していることから、底面１３２４の下に以前からあるであろう任意の停滞流体が活動状態の流体路１３１４内に移動される。
【００４６】
次に図２２を参照すると、脈管外システム１４１０は、流体路１４１４、および流体路１４１４に通じる流体流ディレクタ１４１６を含む。流体流ディレクタ１４１６は、システム１４１０における流体路１４１４内の停滞流体の運動を促進する。流体流ディレクタ１４１６は、出口隆起部１４２８を含むものである。
【００４７】
出口隆起部１４２８は、システム１４１０内のアクセス口１４１８の底面１４２４に隣接して配置される。流体は、システム１４１０の室と出口隆起部１４２８をつなぐ多数の穴１４３０を通って出口隆起部１４２８に入ることができる。出口隆起部は、さらに、流体が出口隆起部１４２８から流体路１４１４を通って流体出口１４３２に流入するのを可能にするやり方で、流体出口１４３２に連結される。穴１４３０は、それがなかった場合普通なら停滞流体が存在するであろう領域における穴１４３０を通る流体の流れを確実にするように、底面１４２４に隣接する室全体にわたって間隔を置いて配置される。したがって、図２２を参照して説明される実施形態は、流体路１４１４に沿って穴１４３０を通り底面１４２４を通過して出口隆起部１４２８に入り流体出口１４３２に入るように停滞流体の運動を促進することができる流体流ディレクタ１４１６を提供する。
【００４８】
次に図２３を参照すると、脈管外システム１５１０は、流体流ディレクタ１５１６に連通する流体路１５１４を含む。流体流ディレクタ１５１６は、システム１５１０における流体路１５１４内の停滞流体の運動を促進する。流体流ディレクタ１５１６は、カップ１５３４の縁部に出口１５３６を有したカップ状障壁１５３４を含むものである。カップ状障壁１５３４は、カップ状障壁１５３４の出口１５３６とは反対側の内縁部に沿って溝１５３８も含んでいる。
【００４９】
使用に際して、流体は、隔壁１５４２のスリット１５４０を通ってカップ状障壁１５３４の室に注入される。流体は、カップ状障壁１５３４の底部１５４４に向かって移動し、向きを変えてカップ状障壁１５３４の頂端部に向かって、出口１５３６の反対側にある溝１５３８を登る。次いで、流体は、カップ状障壁１５３４の反対端部から出口１５３６に向かって移動する。出口１５３６に到着すると、流体は、カップ状障壁１５３４の外に移動し、脈管外システム１５１０の残りの流体路１５１４に向かって下に移動する。図２３を参照して説明される流体流ディレクタ１５１６は、カップ状障壁１５３４内の室部全体にわたる流体運動の促進が可能なディレクタ１５１６をこうして提供する。
【００５０】
次に図２４ａ〜２４ｃを参照すると、脈管外システム１６１０は、流体路１６１４、および流体路１６１４に通じる流体流ディレクタ１６１６を含む。流体流ディレクタ１６１６は、脈管外システム１６１０の流体路１６１４内の停滞流体の運動を促進する。流体流ディレクタ１６１６は、偏向可能な膜１６４６およびルーア先端部受け１６４８を含むものである。
【００５１】
偏向可能な膜１６４６は、流体路１６１４に通じ、アクセス口１６１８の底面１６２４に対向して存在する。アクセス口１６１８を通る脈管アクセス装置の接続のとき、脈管アクセス装置の先端がルーア先端部受け１６４８に圧力を加える結果、偏向可能な膜１６４６が拡張すなわち伸びることができる。ルーア先端部受け１６４８は、ルーア１６５０の先端部を受けることができる。
【００５２】
先端部１６５０の表面がルーア先端部受け１６４８に対してシールを形成しないようにするため、ルーア先端部受け１６４８は、その構造のある部分の間に空隙を有するように形成される。それらの空隙には、ルーア先端部１６５０がそれがあれば普通は封止するような、そうした材料がない。しかし、ルーア先端部受け１６４８は、その材料内に少なくとも１つの空隙を含むので、流体はルーア先端部１６５０からルーア先端部受け１６４８を過ぎて流体路１６１４に流入することができる。空隙は、アクセス口１６１８の底面１６２４近くに存在し得る任意の停滞流体を最小限に抑えるために、最大限の効果が得られるように位置決めすることができる。
【００５３】
図のどれかを参照して上述される実施形態のいずれも、本発明の目的を達成するために、それらの実施形態のどれかの要素または特徴のどれかを組み合わせて任意の数を組み込むことができる。さらに、任意の実施形態は、流体流ディレクタ１６の一部として以下の表面および／または材料である、流体を特定の表面から特定方向に離すように導く疎水性表面、流体を表面および特定方向に向かって引き寄せる親水性表面、および／または流体を特定表面に、またある方向で引き寄せるための可溶性もしくは吸上性材料、のうちのどれかを含むことができる。可溶性または吸上性の内面は、塩、砂糖、綿、または任意の他の可溶性もしくは吸上性の材料もしくは物質を含むことができる。図示する目的で、図２４は、少なくとも１つの疎水性表面１６５２、親水性表面１６５４、および流体路１６１４に連通するいくつかの内面上に吸上性または可溶性の材料１６５６を含む。疎水性表面１６５２、親水性表面１６５４および吸上性表面１６５６は、流体流ディレクタ１６１６の一部を形成する。
【００５４】
本明細書に広く記載され以下の請求の範囲に記載されているようなその構造、方法または他の本質的な特徴から逸脱することなく、本発明は、他の特定の形態で実施することができる。上記の実施形態は、あらゆる点において限定的でなく単なる例示的であるとみなされる。したがって、本発明の範囲は、前述の説明ではなく、添付の特許請求の範囲によって示される。特許請求の範囲の均等物の趣旨および範囲内で生じる全ての変更は、それらの範囲に包含される。
【図１】
2010505551.tif 000003
【図２】
2010505551.tif 000004
【図３】
2010505551.tif 000005
【図４】
2010505551.tif 000006
【図５ａ】
2010505551.tif 000007
【図５ｂ】
2010505551.tif 000008
【図６】
2010505551.tif 000009
【図７】
2010505551.tif 000010
【図８】
2010505551.tif 000011
【図９】
2010505551.tif 000012
【図１０】
2010505551.tif 000013
【図１１】
2010505551.tif 000014
【図１２】
2010505551.tif 000015
【図１３ａ】
2010505551.tif 000016
【図１３ｂ】
2010505551.tif 000017
【図１４ａ】
2010505551.tif 000018
【図１４ｂ】
2010505551.tif 000019
【図１４ｃ】
2010505551.tif 000020
【図１５】
2010505551.tif 000021
【図１６】
2010505551.tif 000022
【図１７】
2010505551.tif 000023
【図１８】
2010505551.tif 000024
【図１９】
2010505551.tif 000025
【図２０ａ】
2010505551.tif 000026
【図２０ｂ】
2010505551.tif 000027
【図２０ｃ】
2010505551.tif 000028
【図２１】
2010505551.tif 000029
【図２２】
2010505551.tif 000030
【図２３】
2010505551.tif 000031
【図２４ａ】
2010505551.tif 000032
【図２４ｂ】
2010505551.tif 000033
【図２４ｃ】
2010505551.tif 000034
【国際調査報告】
2010505551.tif 000035